(57)【要約】      （修正有）【課題】傾倒する時に、正確な定位を確保でき、又、製造費用が安く、外形も小型化しうる多方向スイッチを提供する。【解決手段】第２収容槽１４を含むハウジング１と、第１固定接点２３，２４，２５，２６と、第２固定接点２１と、共通固定接点２２とからなる固定接点と、第２固定接点、共通固定接点に接触する第１接触アーム４１と、第１固定接点と接離可能な第２接触アーム４２と、を含む第１可動接点４と、第２固定接点、共通固定接点に載置され、周辺部が共通固定接点に接触し、中央部が第２固定接点に接離可能な第２可動接点３と、底部が第１可動接点を押圧可能な基部５２と、第２固定接点と接触可能な第２可動接点の中央部を押圧する押圧部と、前記第２収容槽に嵌め込む定位片５５と、を含む操作部５と、を備える。【選択図】図２
0003109641.tif 000002
【実用新案登録請求の範囲】
【請求項１】
多方向スイッチにおいて、
第２収容槽を含むハウジングと、
第１固定接点と、第２固定接点と、共通固定接点とからなる固定接点と、
前記第２収容槽に嵌め込む定位片と、
基部を設けた操作部と、
第２固定接点、共通固定接点に接触する第１接触アームと、前記基部に押圧され、第１固定接点と接離可能な第２接触アームと、を含む第１可動接点と、
固定接点に載置される第２可動接点と、
を備えることを特徴とする多方向スイッチ。
【請求項２】
前記第１接触アームは、第２接触アームと互いに隣接して配列されることを特徴とする、請求項１に記載の多方向スイッチ。
【請求項３】
前記第１接触アームは、第２接触アーム内に設置されることを特徴とする、請求項１に記載の多方向スイッチ。
【請求項４】
前記第１接触アームは、第１可動接点の中央から横に延在することを特徴とする、請求項３に記載の多方向スイッチ。
【請求項５】
前記第１接触アームは、第１可動接点の末端から第１可動接点の中央に向かって延在することを特徴とする、請求項３に記載の多方向スイッチ。
【請求項６】
前記第１可動接点には、周辺孔が形成されるとともに、操作部には、前記周辺孔に収容される定位柱が設けられることを特徴とする、請求項１に記載の多方向スイッチ。
【請求項７】
前記ハウジングの第２収容槽は、第２接触アームを収容することを特徴とする、請求項１に記載の多方向スイッチ。
【請求項８】
前記操作部は、基部と、該基部から上向きに伸びるつまみ部と、該基部から横に伸びる定位部と、該定位部から下向きに伸びる押圧部と、を備えることを特徴とする、請求項１に記載の多方向スイッチ。
【請求項９】
前記第２可動接点は、前記共通固定接点と接触する周辺部と、第２固定接点の上に一定の距離で対向する頂部と、を含むことを特徴とする、請求項８に記載の多方向スイッチ。
【請求項１０】
前記操作部の押圧部は、第２可動接点の頂部に載置されることを特徴とする、請求項９に記載の多方向スイッチ。
【請求項１１】
前記第１可動接点には、操作部の押圧部を収容するための中央孔が形成されることを特徴とする、請求項１０に記載の多方向スイッチ。
【請求項１２】
多方向スイッチにおいて、
第２収容槽を含むハウジングと、
第１固定接点と、第２固定接点と、共通固定接点とからなる固定接点と、
第２固定接点、共通固定接点に接触する第１接触アームと、第１固定接点と接離可能な第２接触アームと、を含む第１可動接点と、
第２固定接点、共通固定接点に載置され、周辺部が共通固定接点に接触し、頂部が第２固定接点に接離可能な第２可動接点と、
底部が第１可動接点を押圧可能な基部と、第２固定接点と接触可能な第２可動接点の中央部を押圧する押圧部と、前記第２収容槽に嵌め込む定位片と、を含む操作部と、
を備えることを特徴とする多方向スイッチ。
【考案の詳細な説明】
【技術分野】
【０００１】
本考案は多方向スイッチに関し、特に、各種の小型電子装置の入力操作に使用される多方向スイッチに関するものである。
【背景技術】
【０００２】
従来の多方向スイッチは、通常、共通接点を設けた底壁部を有するケーシングと、前記底壁部と上方に対向する位置で、前記ケーシングに保持された第１固定接点と、前記ケーシングの前記底壁部と前記第１固定接点との間に位置するとともに、前記ケーシング内で傾倒可能に収容され、前記第１固定接点に接触可能な第１可動接点と、多方向に傾倒可能な操作部と、前記共通接点に接触する第２可動接点と、を備える。前記第１可動接点には、前記第２可動接点に接触する接触部が、設けられる。前記操作部の傾倒時、前記第１固定接点と第１可動接点が、接触する。前記第１固定接点と前記共通接点が、前記第１可動接点、前記接触部、及び前記第２可動接点を介して導通して、第１電気信号を出力する。同時に、前記第２固定接点と前記第２可動接点とが、接触して、前記共通接点と前記第２固定接点とが、導通して、第２電気信号を出力する。
【０００３】
ところが、前記操作部は、傾倒される時、操作部とハウジングの間に直接の操作が存在しないと、安定状態を保持しにくい。又、第１可動接点と操作部は、一体に形成されるとともに、第１固定接点の外形よりも大きい。そして、該多方向スイッチは、製作が複雑になり、費用が高くなる。
【０００４】
従って、本考案は前記欠点を克服するために一種の新たな電気コネクタを構成する。
【０００５】
【特許文献１】特開２００２−３４３１９５号公報
【考案の開示】
【考案が解決しようとする課題】
【０００６】
本考案の目的は、傾倒する時に、正確な定位を確保でき、又、製造費用が安く、外形も小型化しうる多方向スイッチを提供する。
【課題を解決するための手段】
【０００７】
本考案は多方向スイッチに関し、該多方向スイッチは第２収容槽を含むハウジングと、第１固定接点と、第２固定接点と、共通固定接点とからなる固定接点と、第２固定接点、共通固定接点に接触する第１接触アームと、第１固定接点と接離可能な第２接触アームと、を含む第１可動接点と、第２固定接点、共通固定接点に載置され、周辺部が共通固定接点に接触し、中央部が第２固定接点に接離可能な第２可動接点と、底部が第１可動接点を押圧可能な基部と、第２固定接点と接触可能な第２可動接点の中央部を押圧する押圧部と、前記第２収容槽に嵌め込む定位片と、を含む操作部と、を備える。操作部を鉛直下方に押圧操作すると、第２可動接点によって、第２固定接点と共通固定接点は互いに導通する。又、操作部片が傾倒すると、該操作部の底部と第２可動接点によって、第１、第２、共通固定接点は互いに導通する。同時に、定位片は第２収容槽に係合することから、傾倒状態の定位を確保できる。
【考案の効果】
【０００８】
従来の技術に比べると、本考案は以下の長所がある。前記第２収容槽に嵌め込まれる定位片は、この過程における多方向スイッチの安定性を確保できる。又、第１可動接点と操作部は、別々に形成されるとともに、第１固定接点の外形も小型化しうる。そして、該多方向スイッチは、製造費用が安く、外形も小型化しうる。
【考案を実施するための最良の形態】
【０００９】
図１〜図８を参照すると、本考案の多方向スイッチ１０は、ハウジング１と、固定接点２と、第２可動接点３と、第１可動接点４と、操作部５と、カバー６と、を備える。図２を参照すると、多角形のハウジング１は、底部１１と、対称に設置される四つの第１収容槽１３と、該第１収容槽１３と所定の間隔を隔てて配列される四つの第２収容槽１４と、ハウジング１の上面から上向きに突出する突出柱１２と、を備える。
【００１０】
図２を参照すると、前記固定接点２は、第２固定接点２１と、共通固定接点２２と、第１固定接点２６と、からなる。その中で、第２固定接点２１には、中央接点２１１が設けられる。共通固定接点２２は、前記第２固定接点２１を囲むように設置される。又、共通固定接点２２には、前記中央接点２１１の両側で、対称に位置するように周辺接点２２１が設けられる。第１固定接点２３、２４、２５、２６は、第２固定接点２１と共通固定接点２２の間に配置される。第２固定接点２１と、共通固定接点２２と、第１固定接点２３、２４、２５、２６は互いに絶縁される。
【００１１】
前記第２可動接点３は、円形ドーム形状になっている。これは、周辺部３２と頂部３１を含む。
【００１２】
前記第１可動接点４は、中央に形成される円形の中央孔４３と、該中央孔４３を囲む四つの円形の周辺孔４４と、第１可動接点４の中央から横に伸びる四つの第１接触アーム４１と、該第１接触アーム４１と所定の間隔を隔てて配列される四つの第２接触アーム４２と、を備える。
【００１３】
図２及び図３を参照すると、操作部５は、基部５２と、該基部５２から上向きに伸びるつまみ部５１と、該基部５２から横に伸びる定位片５５と、該基部５２の下面の中央から下向きに延在する押圧部５３と、該押圧部５３の周辺に位置し、下向きに延在する定位柱５４と、を備える。該定位柱５４は、前記第１可動接点４の周辺孔４４に係合する。
【００１４】
前記カバー６は、中央に形成される円形の第１貫通孔６１と、前記ハウジング１の凸柱１２と係合する第２貫通孔６２と、を備える。
【００１５】
図１〜図５を参照すると、電気コネクタ１を取り付ける時、まず、前記固定接点２は、前記ハウジング１の底部１１に固定される。その中で、第２固定接点２１と共通接点２２の末端は、ハウジング１の第１収容槽１３に収容されるとともに、第１固定接点２３、２４、２５、２６は、ハウジング１の第２収容槽１４に嵌め込まれる。次に、第２可動接点３は、固定接点２に載置される。第２可動接点３の周辺部３２は、共通接点２２の周辺接点２２１と接触する。第２固定接点２１の中央接点２１１と接離可能な頂部３１は、中央接点２１１上に一定の距離で対向する。その後、第１可動接点４は、第２可動接点３に位置づけられる。第１接触アームは４１は、共通接点２２に接触する。第２接触アームは４２は、何れかの第１固定接点２３、２４、２５、２６と接離可能である。次に、操作部５を第１可動接点４に組み合わせ、押圧部５３を第１可動接点４の中央孔４３に嵌め込み、定位柱５４を第１可動接点４の周辺孔４４に挿入し、定位片５５をハウジング１の第２収容槽１４に収容する。最後に、カバー６をハウジング１の上面に組み合わせる。ハウジング１の凸柱１２を第２貫通孔６２に挿入する。操作部５のつまみ部５１は、カバー６の第１貫通孔６１を貫通してハウジング１から突出する。
【００１６】
図４と図５を参照すると、使用時に、操作部５のつまみ部５１は、鉛直に下向きに押圧されるとともに、第２可動接点３の頂部３１が下向きに押され、第２固定接点２１の中央接点２１１に接触する。そして、第２固定接点２１と共通固定接点２２は、第２可動接点３によって互いに導通する。操作部５のつまみ部５１が傾倒される時に、第２可動接点３の頂部３１が下向きに押され、第２固定接点２１の中央接点２１１に接触するとともに、第２接触アーム４２は、何れかの第１固定接点２３、２４、２５、２６と、接触する。そして、第２固定接点２１と、共通固定接点２２と、第１固定接点２３、２４、２５、２６とは互いに導通する。第２収容槽１４に嵌め込まれる定位片５５によりこの過程における多方向スイッチ１０の安定性が確保できる。
【００１７】
図６と図７を参照すると、第２実施形態では、第１可動接点４の代わりに、第１可動接点４′は、第２接触アーム４２′と、該第２接触アーム４２′内に位置づけられ、第１可動接点４′の中央から横に伸出する第１接触アーム４１′と、を含む。同時に、固定接点２の代わりに、固定接点２′は、第１固定接点２１′と、該第１固定接点２１′を囲む共通固定接点２２′と、共通固定接点２２′と互いに絶縁される第１固定接点２３′、２４′と、を備える。第１接触アーム４１′は、共通固定接点２２′と接触する。つまみ部５１が鉛直に押圧される時に、第２固定接点２１′と、共通固定接点２２′は、互いに導通する。つまみ部５１が傾倒される時に、第２接触アーム４２′は、第１固定接点２３′、２４′と接触する。そして、第２固定接点２１′と、共通固定接点２２′と、第１固定接点２３′、２４′は互いに導通する。
【００１８】
図８を参照すると、第３実施形態では、第１可動接点４の代わりに、第１可動接点４′′は、第２接触アーム４２′′と、該第２接触アーム４２′′内に位置づけられ、第１可動接点４′′の末端から、第１可動接点４′′の中央に伸出する第１接触アーム４１′′と、を含む。同時に、固定接点２の代わりに、固定接点２′が使用される。第１接触アーム４１′′は、共通固定接点２２′と接触する。つまみ部５１が鉛直に押圧される時に、第２固定接点２１′と、共通固定接点２２′は互いに導通する。つまみ部５１が傾倒される時に、第２接触アーム４２′′は、第１固定接点２３′、２４′と接触する。そして、第２固定接点２１′と、共通固定接点２２′と、第１固定接点２３′、２４′とは、互いに導通する。
【００１９】
総じて、本考案の多数の特徴及び長所など、その構造及び機能が共に前述の記載により掲げられている。また前記の説明は、本考案に基づいてなしうる細部の修正或は変更など、いずれも本考案の請求範囲に属するものとする。
【産業上の利用可能性】
【００２０】
本考案は多方向スイッチに関し、特に、傾倒する時に、正確な定位を確保でき、又、製造費用が安く、外形も小型化しうる多方向スイッチに関するものである。
【図面の簡単な説明】
【００２１】
【図１】本考案の多方向スイッチの第１実施形態による立体図である。
【図２】本考案の多方向スイッチの分解斜視図である。
【図３】本考案の多方向スイッチの他の分解斜視図である。
【図４】本考案の多方向スイッチの図１のＶＩ−ＶＩ線の方向に沿った断面図である。
【図５】本考案の多方向スイッチの図１のＶ−Ｖ線の方向に沿った断面図である。
【図６】本考案の多方向スイッチの第２実施形態による第１可動接点の立体図である。
【図７】本考案の多方向スイッチの第２実施形態による固定接点の立体図である。
【図８】本考案の多方向スイッチの第３実施形態による第１可動接点の立体図である。
【符号の説明】
【００２２】
１  ハウジング
２  固定接点
３  第２可動接点
４  第１可動接点
５  操作部
６  カバー
１０  多方向スイッチ
１１  底部
１２  突出柱
１３  第１収容槽
１４  第２収容槽
２１  第２固定接点
２２  共通固定接点
２３、２４，２５、２６  第１固定接点
３１  頂部
３２  周辺部
４１  第１接触アーム
４２  第２接触アーム
４３  中央孔
４４  周辺孔
５１  つまみ部
５２  基部
５３  押圧部
５４  定位柱
５５  定位片
６１  第１貫通孔
６２  第２貫通孔
２１１  中央接点
２２１  周辺接点
【図１】
0003109641.tif 000003
【図２】
0003109641.tif 000004
【図３】
0003109641.tif 000005
【図４】
0003109641.tif 000006
【図５】
0003109641.tif 000007
【図６】
0003109641.tif 000008
【図７】
0003109641.tif 000009
【図８】
0003109641.tif 000010